(57)【要約】【課題】切替レバーの特に回動軸のあたりに水分が侵入しないように防水加工を施したことにより、切替レバーからの水分の侵入を防ぐことができるトリガースイッチを提供する。【解決手段】トリガースイッチは、ケースの上部位置に組込まれており、切替接片を備えた切替レバーの操作によりモータの正転・逆転を制御する切替操作部と、ケースの下部位置に組込まれており、摺動回路基板に設けてある接触子と摺動する摺動子がトリガーレバーの操作に連動して動くように制御する摺動操作部と、を備えたトリガースイッチであって、前記ケースの外側に配置されている切替レバーの連結部分に相当する本体部と、該本体部が組込まれるケースの頂面壁との間を水分が浸入しないような防水手段を施したことである。【選択図】  図１
2010176949.tif 000002
【特許請求の範囲】
【請求項１】
ケースの上部位置に組込まれており、切替接片を備えた切替レバーの操作によりモータの正転・逆転を制御する切替操作部と、
ケースの下部位置に組込まれており、摺動回路基板に設けてある接触子と摺動する摺動子がトリガーレバーの操作に連動して動くように制御する摺動操作部と、
を備えたトリガースイッチであって、
前記ケースの外側に配置されている切替レバーの連結部分に相当する本体部と、該本体部が組込まれるケースの頂面壁との間を水分が浸入しないような防水手段を施したことを特徴とするトリガースイッチ。
【請求項２】
前記防水手段は、前記本体部及び前記頂面壁を含んで覆うように被せる防水用パッキンであることを特徴とする請求項１に記載のトリガースイッチ。
【請求項３】
前記防水手段は、前記本体部が組込まれる前記頂面壁との間にゴム状の樹脂を充填したことを特徴とする請求項１に記載のトリガースイッチ。
【請求項４】
前記防水手段は、前記本体部及び前記頂面壁を含んで覆うことに加えて、前記トリガーレバーをガイドする上部レバーガイド部を覆い、且つ前記トリガーレバーと連動する摺動操作部を形成する摺動軸を覆う外部パッキンを兼ね備えた防水用パッキンであることを特徴とする請求項１に記載のトリガースイッチ。
【請求項５】
前記防水手段は、前記本体部及び前記頂面壁を含んで覆うことに加えて、前記トリガーレバーをガイドする上部レバーガイド部を覆うと共に、前記トリガーレバーをガイドする下部レバーガイド部を覆い、且つ前記トリガーレバーと連動する摺動操作部を形成する摺動軸を覆う外部パッキンを兼ね備えた防水用パッキンであることを特徴とする請求項１に記載のトリガースイッチ。
【請求項６】
ケースの上部位置に組込まれており、切替接片を備えた切替レバーの操作によりモータの正転・逆転を制御する切替操作部と、
ケースの下部位置に組込まれており、摺動回路基板に設けてある接触子と摺動する摺動子がトリガーレバーの操作に連動して動くように制御する摺動操作部と、
を備えたトリガースイッチであって、
前記摺動回路基板の接触子に水分が付着しないような防滴手段を施したことを特徴とするトリガースイッチ。
【請求項７】
前記防滴手段は、前記接触子に低抵抗の抵抗膜を施したことである請求項６に記載のトリガースイッチ。
【請求項８】
前記防滴手段は、前記接触子の間にスリットを施したことである請求項６に記載のトリガースイッチ。
【発明の詳細な説明】
【技術分野】
【０００１】
本発明はトリガースイッチに関し、詳しくは、ブラシレスモーター搭載電動工具等に使用されるトリガースイッチにおいて、正逆切替レバーの切替により水分が内部に侵入するのを防止する構造にすること及びトリガーレバーの引き込み動作で摺動する電極部分に水分が付着しても漏電、腐食の発生を防止する構造のトリガースイッチに関する。
【背景技術】
【０００２】
従来技術における正逆切替レバーを備えたトリガースイッチは、図１２、図１３及び図１４に示すように、箱状に形成された内部に摺動接点機構を組み込み、外部のトリガーレバー１１からの摺動操作を伝達する摺動操作部１５を備え、且つ側面を開口にしたケース１２と、ケース１２の側面の開口面を塞ぐと共に、内側側面に摺動回路基板１３を搭載したカバー１４と、手の指で操作できるトリガーレバー１１と、ケース１２の上部位置にモータの正逆回転を切替える切替操作部２５とを備えた構成になっている。
【０００３】
切替操作部２５は、ケース１２の上部位置に設けてある切替レバー収納室２２に切替レバー２６を収納した構成となっている。
【０００４】
切替レバー２６は、台形状に形成された本体部２７の上端部に上方向に突出形成した切替ノブ２８を備え、略中心位置に切替レバー２６が回動自在な中心軸となる回動軸２９、後端部の側面に切替の信号を発生させる導電性金属部材で形成された切替接片３１を装着する接片部３０を備え、先端部にオシボバネ３２とオシボ３３を備えた構成になっている。
【０００５】
切替レバー収納室２２は、切替レバー２６を回動自在に収納するもので、回動軸２９を回動軸係合孔２３に係合させ、本体部２７を含む切替ノブ２８をケース１２の外に位置させ、切替接片３１を装着した接片部３０は収納室２２内に配置される。
【０００６】
摺動操作部１５は、棒状に形成し自由端部に、Ｏリング３８及び外部パッキン３９を取付け、トリガーレバー１１を取り付けることができる摺動軸４１と、この摺動軸４１の基部側であって側面に平行に２つの摺動子４２、４３を配置してモータの回転速度を制御する速度制御部４４を設けた構造になっている。
摺動軸４１は、Ｏリング３８及び外部パッキン３９を取り付け、その先端側をトリガーレバー１１に取り付け、Ｅリング５９を差し込むことでトリガーレバー１１から外れない構成になっている。
【０００７】
速度制御部４４は、摺動軸４１に連結され、摺動軸４１に連動する回転制御摺動子４２及びスイッチ摺動子４３を備え、且つ回転制御摺動子４２及びスイッチ摺動子４３に弾性接触するための接触子４５、４６、４７、４８を備えた摺動回路基板１３とから大略構成されている。
【０００８】
摺動回路基板１３は、表面に切替操作部２５の切替接片３１と接触する切替接触子３４ａ、３４ｂと、速度制御部４４に備えてある摺動子４２、４３と摺動する接触子４５、４６、４７、４８を備えた構成になっている。
摺動回路基板１３に配設されている接触子４５、４６、４７、４８は、平行且つ整列状態で配設され、上部位置に帯状で抵抗体を構成する可変接触子４５、この可変接触子４５と平行で且つ同一長さに導電性部材で形成された摺動接触子４６、この摺動接触子４６と平行で且つ寸足らずの導電性部材で形成された制御接触子４７、この制御接触子４７と平行で且つ同一長さに導電性部材で形成された補助接触子４８からなる。
【０００９】
このような構成の切替操作部２５においては、図１５に示すように、切替レバー２６の回動軸２９をケース１２の回動軸係合孔２３に係合させ、切替接片３１を摺動回路基板１３の切替接触子３４ａ、３４ｂに対向させた状態にしておき、切替ノブ２８の操作で切替接片３１が切替接触子３４ａ、３４ｂを導通状態にすることで、切替信号を発生させる。
【００１０】
又、摺動回路基板１３に配設された接触子４５、４６、４７、４８に対して、摺動接触子４６及び可変接触子４５の両者にブラシが接触するように回転制御摺動子４２が当接されることで可変接触子４５の抵抗体を変化させることでモータへの回転制御を行う。
同時に、制御接触子４７及び補助接触子４８の両者にブラシが接触するようにスイッチ摺動子４３が当接されることで、補助スイッチとして機能する。
回転制御摺動子４２及びスイッチ摺動子４３は、導電性部材であって板部材の略中間位置で折り曲げ、折り曲げた側を二股形状にした端子を並列に２個形成し、その二股形状に形成した端子の先端部を更に外方向に折り曲げて更に内側方向に折り曲げて接点となし、折り曲げた基部側の基端部寄りの位置に穴を開けて速度制御部４４に設けてあるボスに係合した構造となっている。
このような構造をした速度制御部４４においては、摺動操作部１５が復帰バネ４９に抗してトリガーレバー１１で操作されると回転制御摺動子４２及びスイッチ摺動子４３が摺動回路基板１３の接触子４５、４６、４７、４８に接触する。
【特許文献１】特許出願２００７−２２２７００
【発明の開示】
【発明が解決しようとする課題】
【００１１】
しかしながら、従来技術で説明した正逆切替レバーを配置する切替操作部においては、ケースの切替レバー収納室の回動軸係合孔に切替レバーの回動軸を係合させる構造においては、外部からの水分の侵入に対する防護手段が何らされていないために、切替レバーの回動軸あたりから切替レバーの切替により水分が内部に浸入し、その侵入した水分が摺動回路基板に配設されている接触子に伝播して誤動作を起こす起因になるという問題がある。
又、摺動回路基板の接触子は、可動接片（回転制御摺動子、スイッチ摺動子）が摺動するため電極または電極上部に抵抗体を塗るだけの為、水分が侵入することで電極間にて漏電し、腐食の発生を促進させ誤動作を起こすという問題がある。
【００１２】
従って、モータの正転及び逆転を切替える正逆切替スイッチにおいて、切替える際に発生する水分の侵入を防ぐ構造、及び摺動回路基板の接触子において水分が浸入しても接点間にて漏電を軽減させ腐食の発生を抑制し、誤動作を無くす構造に解決しなければならない課題を有する。
【課題を解決するための手段】
【００１３】
上記課題を解決するために、本願発明のトリガースイッチは、次に示す構成にすることである。
【００１４】
（１）トリガースイッチは、
ケースの上部位置に組込まれており、切替接片を備えた切替レバーの操作によりモータの正転・逆転を制御する切替操作部と、
ケースの下部位置に組込まれており、摺動回路基板に設けてある接触子と摺動する摺動子がトリガーレバーの操作に連動して動くように制御する摺動操作部と、
を備えたトリガースイッチであって、
前記ケースの外側に配置されている切替レバーの連結部分に相当する本体部と、該本体部が組込まれるケースの頂面壁との間を水分が浸入しないような防水手段を施したことを特徴とするトリガースイッチ。
（２）前記防水手段は、前記本体部及び前記頂面壁を含んで覆うように被せる防水用パッキンであることを特徴とする（１）に記載のトリガースイッチ。
（３）前記防水手段は、前記本体部が組込まれる前記頂面壁との間にゴム状の樹脂を充填したことを特徴とする（１）に記載のトリガースイッチ。
（４）前記防水手段は、前記本体部及び前記頂面壁を含んで覆うことに加えて、前記トリガーレバーをガイドする上部レバーガイド部を覆い、且つ前記トリガーレバーと連動する摺動操作部を形成する摺動軸を覆う外部パッキンを兼ね備えた防水用パッキンであることを特徴とする（１）に記載のトリガースイッチ。
（５）前記防水手段は、前記本体部及び前記頂面壁を含んで覆うことに加えて、前記トリガーレバーをガイドする上部レバーガイド部を覆うと共に、前記トリガーレバーをガイドする下部レバーガイド部を覆い、且つ前記トリガーレバーと連動する摺動操作部を形成する摺動軸を覆う外部パッキンを兼ね備えた防水用パッキンであることを特徴とする（１）に記載のトリガースイッチ。
【００１５】
（６）トリガースイッチは、
ケースの上部位置に組込まれており、切替接片を備えた切替レバーの操作によりモータの正転・逆転を制御する切替操作部と、
ケースの下部位置に組込まれており、摺動回路基板に設けてある接触子と摺動する摺動子がトリガーレバーの操作に連動して動くように制御する摺動操作部と、
を備えたトリガースイッチであって、
前記摺動回路基板の接触子に水分が付着しないような防滴手段を施したことを特徴とするトリガースイッチ。
（７）前記防滴手段は、前記接触子に低抵抗の抵抗膜を施したことである（６）に記載のトリガースイッチ。
（８）前記防滴手段は、前記接触子の間にスリットを施したことである（６）に記載のトリガースイッチ。
【発明の効果】
【００１６】
本発明に係るトリガースイッチは、正逆切替レバーの特に回動軸のあたりに水分が侵入しないように防水加工を施したことにより、正逆切替レバーからの水分の侵入を防ぐことができる。
又、切替レバーの部位からの水分の侵入を防ぐことに加えて、トリガーレバーに連動する摺動操作部への水分の侵入も防ぐようにしたことにより、略完全に外部からの水分の侵入を防止すること及び組立て性を容易にすることができる。
又、摺動回路基板に配設されている接触子に対して低抵抗の抵抗体で完全に覆うようにすることで、例え接触子に水分が付着しても接触子の接点間による漏電による腐食の発生を抑制することができる。
更に、摺動回路基板に配設されている接触子の間にスリットを入れることで水分の付着を抑制することができ、接点間にて漏電を無くし腐食の発生を抑制することができる。
【発明を実施するための最良の形態】
【００１７】
本願発明に係るトリガースイッチの実施形態について、図面を参照して説明する。
【００１８】
本発明に係るトリガースイッチを備えた電動工具用スイッチは、図１、図２及び図３に示すように、箱状に形成された内部に摺動接点機構（速度制御部）を組み込み、外部のトリガーレバー１１からの摺動操作を伝達する摺動操作部１５を備え、且つ側面を開口にしたケース１２と、ケース１２の側面の開口面を塞ぐと共に、内側側面に摺動回路基板１３を搭載したカバー１４と、手の指で操作できるトリガーレバー１１と、ケース１２の上部位置にモータの正逆回転を切替える切替操作部２５と、切替操作部２５のうち切替レバーの上部面とケースの頂面とをカバーするように取り付けるラバーで生成された防水用パッキン１６とを備えた構成になっている。
【００１９】
ケース１２は、側面を開口にした箱型形状に形成し、図２において、手前側にトリガーレバー１１をガイドするための上部位置に設けた上部レバーガイド部１７及びこの上部レバーガイド部１７と同じ形状であって鉛直方向の下部位置に設けた下部レバーガイド部１８を設け、内部においては上部レバーガイド部１７と下部レバーガイド部１８とで挟まれた奥行き方向に摺動操作部１５を形成する速度制御部を収納する速度制御部収納室１９、速度制御部収納室１９の上部位置に切替操作部を構成する切替レバーのうち回動軸を回動軸係合孔２３に組み合わせて収納する回動軸収納室２１、この回動軸収納室２１に遮蔽部材を介して連続して設けた切替操作部を構成する切替レバーのうち接片部を収納する接片部収納室２２からなる。
【００２０】
カバー１４は、図２及び図３に示すように、内側側面壁に長方形状の摺動回路基板１３を装着する基板装着部２４を備えた構成になっている。
【００２１】
切替操作部２５を構成する切替レバー２６は、図２に示すように、台形状に形成された本体部２７の上端部に上方向に突出形成した切替ノブ２８を備え、略中心位置に切替レバー２６が回動自在な中心軸となる回動軸２９、後端部の側面に切替の信号を発生させる導電性金属部材で形成された切替接片３１を装着する接片部３０を備え、後端部にオシボバネ３２とオシボ３３を備えた構成になっている。
【００２２】
回動軸収納室２１は、切替レバー２６の回動軸２９を回動軸係合孔２３に係合させる部屋であって、回動軸２９よりも一段高く形成された本体部２７及び本体部２７に連設されている切替レバー２６をケース１２の外に位置させる。
接片部収納室２２は、切替レバー２６の切替接片３１を備えた接片部３０を収納する部屋であって、この部屋の中で切替接片３１がカバー１４に装着されている摺動回路基板１３に配設されている切替接触子３４ａ、３４ｂと対向させた状態に配置され、切替ノブ２８の操作により切替接片３１が切替接触子３４ａ、３４ｂに接触する。
【００２３】
防水用パッキン１６は、図１、図２及び図４に示すように、ラバーで形成され、切替レバー２６の外部に出ている部分の本体部２７を貫通させて覆う四角形状の係合部３５を備え、底が開口に形成して回動軸収納室２１の頂面壁３６を覆う大きさに形成した部屋防水部３７とからなる。
【００２４】
摺動操作部１５は、棒状に形成し自由端部に、Ｏリング３８及び外部パッキン３９を取付け、トリガーレバー１１を取り付けることができる摺動軸４１と、この摺動軸４１の基部側であって側面に平行に２つの摺動子４２、４３を配置してモータの回転速度を制御する速度制御部４４を設けた構造になっている。
摺動軸４１は、Ｏリング３８及び外部パッキン３９を取り付け、その先端側をトリガーレバー１１に取り付け、Ｅリング５９を差し込むことでトリガーレバー１１から外れない構成になっている。
【００２５】
速度制御部４４は、摺動軸４１に連結され、摺動軸４１に連動する回転制御摺動子４２及びスイッチ摺動子４３を備え、且つ回転制御摺動子４２及びスイッチ摺動子４３に弾性接触するための接触子４５、４６、４７、４８を備えた摺動回路基板１３とから大略構成されている。
【００２６】
摺動回路基板１３は、表面に切替操作部２５の切替接片３１と接触する切替接触子３４ａ、３４ｂと、速度制御部４４に備えてある摺動子４２、４３と摺動する接触子４５、４６、４７、４８を備えた構成になっている。
摺動回路基板１３に配設されている接触子４５、４６、４７、４８は、平行且つ整列状態で配設され、上部位置に帯状で抵抗体を構成する可変接触子４５、この可変接触子４５と平行で且つ同一長さに導電性部材で形成された摺動接触子４６、この摺動接触子４６と平行で且つ寸足らずの導電性部材で形成された制御接触子４７、この制御接触子４７と平行で且つ同一長さに導電性部材で形成された補助接触子４８からなる。
【００２７】
このような構成の切替操作部２５においては、切替レバー２６の回動軸２９をケース１２の回動軸係合孔２３に係合させ、切替接片３１を摺動回路基板１３の切替接触子３４ａ、３４ｂに対向させた状態にしておき、切替ノブ２８の操作で切替接片３１が切替接触子３４ａ、３４ｂを導通状態にすることで、切替信号を発生させる。
【００２８】
又、摺動回路基板１３に配設された接触子４５、４６、４７、４８に対して、摺動接触子４６及び可変接触子４５の両者にブラシが接触するように回転制御摺動子４２が当接されることで可変接触子４５の抵抗体を変化させることでモータへの回転制御を行う。
同時に、制御接触子４７及び補助接触子４８の両者にブラシが接触するようにスイッチ摺動子４３が当接されることで、補助スイッチとして機能する。
回転制御摺動子４２及びスイッチ摺動子４３は、導電性部材であって板部材の略中間位置で折り曲げ、折り曲げた側を二股形状にした端子を並列に２個形成し、その二股形状に形成した端子の先端部を更に外方向に折り曲げて更に内側方向に折り曲げて接点となし、折り曲げた基部側の基端部寄りの位置に穴を開けて速度制御部４４に設けてあるボスに係合した構造となっている。
このような構造をした速度制御部４４においては、摺動操作部１５が復帰バネ４９に抗してトリガーレバー１１で操作されると回転制御摺動子４２及びスイッチ摺動子４３が摺動回路基板１３の接触子４５、４６、４７、４８に接触して摺動する。
【００２９】
さて、本願発明の防水手段である防水用パッキン１６であるが、特に図２及び図４に示すように、切替レバー２６の本体部２７に係合部３５を貫通させ、外部に露出している本体部２７の周囲を覆うようにし、且つケース１２の回動軸収納室２１を形成する頂面壁３６に部屋防水部３７で覆うようにして装着する。
このように防水用パッキン１６を装着する構成にすると、切替レバー２６での切替操作をした際に切替レバー２６の本体部２７が防水用パッキン１６で覆われているため、本体部２７とケース１２の頂面壁３６との隙間からの水分の侵入を防止することが可能になる。
【００３０】
次に、防水用パッキンの第１の変形例について、図５を参照して説明する。
第１の変形例の防水用パッキンは、図５に示すように、切替レバー２６の本体部２７とケース１２側の頂面壁３６との隙間にシリコン性の接着剤５１を充填させることで本体部２７の動く部分とケース１２の頂面壁３６との隙間をなくすことができ、水分等の侵入を阻止することが可能となる。
【００３１】
次に、防水用パッキンの第２の変形例について、図６及び図７を参照して説明する。
第２の変形例の防水用パッキン１６Ａは、図６及び図７に示すように、切替レバー２６の部分の防水に加えて、トリガーレバー１１で摺動する摺動操作部１５の部分からの水分の浸入を阻止する構造のラバーで形成された防水用パッキン１６Ａであり、上部に切替レバー２６の本体部２７に貫通して覆うレバー係合部５２を設け、更に、トリガーレバー１１をガイドする上部レバーガイド部１７を貫通させて覆うガイド係合部５３を備え、更に、その下部位置に摺動操作部１５の摺動軸４１を貫通させるための外部パッキンを兼用させた摺動操作パッキン５４を備えた構成にする。
このような防水用パッキン１６Ａにおいては、図７に示すように、本体部２７にレバー係合部５２を貫通させ、同時にガイド係合部５３に上部レバーガイド部１７を貫通させ、更に摺動軸４１に摺動操作パッキン５４を係合させてカバー１４とケース１２で形成された略全体を覆うようにすることで、動く部分からの水分の侵入を防ぐことに加えてケース１２とカバー１４の接合部分も覆うことができるため、略完全な形での水分の侵入を阻止することができる。
【００３２】
次に、防水用パッキンの第３の変形例について、図８及び図９を参照して説明する。
第３の変形例の防水用パッキン１６Ｂは、図８及び図９に示すように、切替レバー２６の部分の防水に加えて、トリガーレバー１１で摺動する摺動操作部１５の部分からの水分の浸入を阻止する構造のラバーで形成された防水用パッキンであり、上部に切替レバー２６の本体部２７に貫通して覆うレバー係合部５２を設け、更に、トリガーレバー１１をガイドする上部レバーガイド部１７を貫通させて覆う上部ガイド係合部５５を備え、更に、その下部位置に摺動操作部１５の摺動軸４１を貫通させるための外部パッキンを兼用させた摺動操作パッキン５４を備え、更に、その下部位置にトリガーレバー１１をガイドする下部レバーガイド部１８を貫通させて覆う下部ガイド係合部５６を備えた構成にする。
【００３３】
このような防水用パッキン１６Ｂにおいては、図９に示すように、本体部２７にレバー係合部５２を貫通させ、同時に上部レバーガイド部１７に上部ガイド係合部５５を貫通させ、更に摺動軸４１に摺動操作パッキン５４を係合させ、更に下部レバーガイド部１８に下部ガイド係合部５６を貫通させてカバー１４とケース１２で形成された略全体を覆うようにすることで、動く部分からの水分の侵入を防ぐことに加えてケース１２とカバー１４の接合部分も覆うことができるため、略完全な形での水分の侵入を阻止することができる。
【００３４】
次に、水分の防止対策として、水分が侵入しても誤動作等がしないような工夫を施した第４の変形例について、図１０を参照して説明する。
第４の変形例の水分の侵入対策は、図１０に示すように、摺動回路基板に設けてある接触子に低抵抗の抵抗膜５７、例えばカーボンで形成された導電性部材の膜を塗布する構成にする。
このようにすることで、侵入してきた水分の付着を防止することができ、水分の付着に伴い発生する電気分解といった現象を抑制できる。
【００３５】
次に、水分の防止対策として、水分が侵入しても誤動作等がしないような工夫を施した第５の変形例について、図１１を参照して説明する。
第５の変形例の水分の侵入対策は、図１１に示すように、摺動回路基板に設けてある接触子の間にスリット５８を設けた構成にする。
このようにすることで、侵入してきた水分が接触子に届かないため、電気分解といった現象を抑制でき、漏電等をなくし腐食の発生を抑えることが出来る。
【産業上の利用可能性】
【００３６】
正逆切替レバーの特に回動軸のあたりに水分が侵入しないように防水加工を施したことにより、切替レバーからの水分の侵入を防ぐことができるトリガースイッチを提供する。
【図面の簡単な説明】
【００３７】
【図１】本発明に係るトリガースイッチに防水用パッキンを施した様子を示した斜視図である。
【図２】同、トリガースイッチの内部構造を示した分解斜視図である。
【図３】同、カバーに装着した摺動回路基板を示した平面図である。
【図４】同、トリガースイッチの防水用パッキンの部分を断面にして示した断面図である。
【図５】同、変形例で、接着剤で防水加工を施した様子を示した斜視図である。
【図６】同、変形例で、摺動操作部にも防水加工を施す防水用パッキンを示した斜視図である。
【図７】同、摺動操作部にも防水加工を施す防水用パッキンを装着した様子を示した斜視図である。
【図８】同、変形例で、摺動操作部にも防水加工を施す防水用パッキンを示した斜視図である。
【図９】同、摺動操作部にも防水加工を施す防水用パッキンを装着した様子を示した斜視図である。
【図１０】同、変形例で、基板の接触子に低抵抗の抵抗膜を施した様子を示す説明図である。
【図１１】同、変形例で、基板の接触子間にスリットを設けた様子を示す説明図である。
【図１２】従来技術におけるトリガースイッチの斜視図である。
【図１３】従来技術におけるトリガースイッチの内部構造を示した分解斜視図である。
【図１４】従来技術におけるカバーに装着した摺動回路基板を示した平面図である。
【図１５】従来技術におけるトリガースイッチの防水用パッキンの部分を断面にして示した断面図である。
【符号の説明】
【００３８】
１１      トリガーレバー
１２      ケース
１３      摺動回路基板
１４      カバー
１５      摺動操作部
１６      防水用パッキン
１６Ａ    防水用パッキン
１６Ｂ    防水用パッキン
１７      上部レバーガイド部
１８      下部レバーガイド部
１９      速度制御部収納室
２１      回動軸収納室
２２      接片部収納室
２３      回動軸係合孔
２４      基板装着部
２５      切替操作部
２６      切替レバー
２７      本体部
２８      切替ノブ
２９      回動軸
３０      接片部
３１      切替接片
３２      オシボバネ
３３      オシボ
３４ａ    切替接触子
３４ｂ    切替接触子
３５      係合部
３６      頂面壁
３７      部屋防水部
３８      Ｏリング
３９      外部パッキン
４１      摺動軸
４２      回転制御摺動子
４３      スイッチ摺動子
４４      速度制御部
４５      可変接触子
４６      摺動接触子
４７      制御接触子
４８      補助接触子
４９      復帰バネ
５１      接着剤
５２      レバー係合部
５３      ガイド係合部
５４      摺動操作パッキン
５５      上部ガイド係合部
５６      下部ガイド係合部
５７      抵抗膜
５８      スリット
５９      Ｅリング
【図１】
2010176949.tif 000003
【図２】
2010176949.tif 000004
【図３】
2010176949.tif 000005
【図４】
2010176949.tif 000006
【図５】
2010176949.tif 000007
【図６】
2010176949.tif 000008
【図７】
2010176949.tif 000009
【図８】
2010176949.tif 000010
【図９】
2010176949.tif 000011
【図１０】
2010176949.tif 000012
【図１１】
2010176949.tif 000013
【図１２】
2010176949.tif 000014
【図１３】
2010176949.tif 000015
【図１４】
2010176949.tif 000016
【図１５】
2010176949.tif 000017